【手続補正書】
【提出日】平成16年1月7日(2004.1.7)
【手続補正１】
【補正対象書類名】明細書
【補正対象項目名】発明の名称
【補正方法】変更
【補正の内容】
【発明の名称】出力制御装置およびプリントシステムおよび印刷中断方法


【手続補正２】
【補正対象書類名】明細書
【補正対象項目名】特許請求の範囲
【補正方法】変更
【補正の内容】
【特許請求の範囲】
【請求項１】
外部装置からプリントデータとサイズ情報を受信する受信手段と、
前記受信手段によって受信されたプリントデータを格納する記憶手段と、
前記受信手段によって受信されたプリントデータのサイズを計算する計算手段と、
前記計算手段によって計算された前記プリントデータのサイズと前記受信手段によって受信した前記サイズ情報とを比較する比較手段と、
前記記憶手段に格納されているデータを消去する消去手段と、
前記受信手段からのプリントデータの受信が終わったときに、前記比較手段によって比較した前記プリントデータのサイズと前記サイズ情報とが異なっている場合には、前記記憶手段に格納されているデータを前記消去手段によって消去するよう制御する制御手段と
を有することを特徴とする出力制御装置。
【請求項２】
前記記憶手段に格納されているデータをイメージデータに展開する展開手段と、
前記展開手段で展開されたイメージデータを印刷出力する出力手段と
を有することを特徴とする請求項１記載の出力制御装置。
【請求項３】
情報処理装置と印刷装置とを含むプリントシステムにおいて、
前記情報処理装置は、
前記印刷装置で印刷すべきプリントデータのサイズ情報をプリントデータとともに送信し、外部装置にプリントデータを送信中に、印刷中断要求を受けた場合に、プリントデータの送信を中止するよう制御する制御手段とを有し、
前記印刷装置は、
印刷すべきプリントデータとサイズ情報を受信する受信手段と、
前記受信手段によって受信されたプリントデータを格納する記憶手段と、
前記受信手段によって受信されたプリントデータのサイズを計算する計算手段と、
前記計算手段によって計算された前記プリントデータのサイズと前記受信手段によって受信した前記サイズ情報とを比較する比較手段と、
前記記憶手段に格納されているデータを消去する消去手段と、
前記受信手段からのプリントデータの受信が終わったときに、前記比較手段によって比較した前記プリントデータのサイズと前記サイズ情報とが異なっている場合には、前記記憶手段に格納されているデータを前記消去手段によって消去するよう制御する消去制御手段と
を有することを特徴とするプリントシステム。
【請求項４】
前記プリントシステムには、更に、前記情報処理装置のプリントデータのジョブの印刷順序管理を行っているサーバが接続されており、前記サーバが、前記情報処理装置にプリントデータの送信許可を与えてから、前記情報処理装置は、前記印刷装置にプリントデータを送信することを特徴とする請求項３記載のプリントシステム。
【請求項５】
情報処理装置と接続される印刷装置における印刷中断方法であって、
前記情報処理装置から前記印刷装置にプリントデータとサイズ情報を受信させる受信工程と、
前記受信工程で受信されたプリントデータを記憶手段に格納させる記憶工程と、
前記受信工程で受信されたプリントデータのサイズを計算させる計算工程と、
前記計算工程で計算された前記プリントデータのサイズと前記受信工程で受信した前記サイズ情報とを比較させる比較工程と、
前記記憶手段に格納されているデータを消去する消去工程と、
前記受信工程におけるプリントデータの受信が終わったときに、前記比較工程で比較した前記プリントデータのサイズと前記サイズ情報とが異なっている場合には、前記記憶手段に格納されているデータを前記消去スッテプで消去するよう制御させる消去制御工程と
を含むことを特徴とする印刷中断方法。
【請求項６】
前記記憶手段に格納されているデータをイメージデータに展開させる展開工程と、
前記展開工程で展開されたイメージデータを印刷出力させる出力工程と
を更に含むことを特徴とする請求項５記載の印刷中断方法。
【請求項７】
情報処理装置と印刷装置とを含むプリントシステムにおける印刷中断方法であって、
前記情報処理装置から前記印刷装置で印刷すべきプリントデータのサイズ情報をプリントデータとともに送信し、印刷装置にプリントデータを送信中に、印刷中断要求を受けた場合に、プリントデータの送信を中止するよう制御する制御工程と、
前記印刷装置にプリントデータとサイズ情報を受信させる受信工程と、
前記受信工程で受信されたプリントデータを記憶手段に格納させる記憶工程と、
前記受信工程で受信されたプリントデータのサイズを計算させる計算工程と、
前記計算工程で計算された前記プリントデータのサイズと前記受信工程で受信した前記サイズ情報とを比較させる比較工程と、
前記記憶手段に格納されているデータを消去する消去工程と、
前記受信工程におけるプリントデータの受信が終わったときに、前記比較工程で比較した前記プリントデータのサイズと前記サイズ情報とが異なっている場合には、前記記憶手段に格納されているデータを前記消去スッテプで消去するよう制御させる消去制御工程と
を含むことを特徴とする印刷中断方法。
【請求項８】
更に、前記プリントシステムに含まれるサーバに対して、
前記情報処理装置のデータのジョブの印刷順序を管理させる順序管理工程と、
前記情報処理装置にデータの送信許可を与えさせる許可工程と、
を含み、前記許可工程で送信許可が与えられてから、前記情報処理装置から前記印刷装置にプリントデータを送信させることを特徴とする請求項７記載の印刷中断方法。
【請求項９】
外部装置からプリントデータを受信する受信手段と、
前記受信手段により受信したプリントデータを格納する記憶手段と、
前記記憶手段に格納されているプリントデータを消去する消去手段と、
前記受信手段により最後にプリントデータを受信してから経過した時間情報を導出する導出手段と、
外部装置からプリントデータの送信が終了していない間に、前記導出手段により導出された時間情報に基づく時間が所定時間を越えた場合に、前記消去手段により前記記憶手段に格納されているプリントデータを削除するよう制御する制御手段と
を有することを特徴とする出力制御装置。
【請求項１０】
更に、前記記憶手段に格納されているプリントデータをイメージデータに展開領域に展開する展開手段と、
前記展開手段により前記展開領域に展開されたイメージデータを印刷出力する出力手段と
を有することを特徴投する請求項９記載の出力制御装置。
【請求項１１】
前記消去手段は、前記記憶手段に格納されているプリントデータを消去し、更に別の記憶手段に格納されているプリントデータを消去するためのコマンドを送信することを特徴とする請求項９記載の出力制御装置。
【請求項１２】
前記制御手段は、外部装置からプリントデータの送信が終了していない間に、前記導出手段により導出された時間情報に基づく時間が所定時間よりも大きくなった場合に、更に外部装置とのコネクションを切断するよう制御することを特徴とする請求項９記載の出力制御装置。
【請求項１３】
印刷装置における印刷中断方法であって、
外部装置からプリントデータを受信させる受信工程と、
前記受信工程で受信したプリントデータを記憶手段に格納させる格納工程と、
前記記憶手段に格納されているプリントデータを消去させる消去工程と、
前記受信工程で最後にプリントデータを受信してから経過した時間情報を導出させる導出工程と、
外部装置からプリントデータの送信が終了していない間に、前記導出工程で導出された時間情報に基づく時間が所定時間よりも大きくなった場合に、前記消去工程で前記記憶手段に格納されているプリントデータを削除するよう制御させる制御工程と
を含むことを特徴とする印刷中断方法。
【請求項１４】
前記消去工程は、前記記憶手段に格納されているプリントデータを消去し、更に別の記憶手段に格納されているプリントデータを消去するためのコマンドを送信させることを特徴とする請求項１３記載の出力制御装置。
【請求項１５】
前記制御工程は、外部装置からプリントデータの送信が終了していない間に、前記導出手段により導出された時間情報に基づく時間が所定時間よりも大きくなった場合に、更に外部装置とのコネクションを切断するよう制御させることを特徴とする請求項１３記載の印刷中断方法。
【手続補正３】
【補正対象書類名】明細書
【補正対象項目名】０００６
【補正方法】変更
【補正の内容】
【０００６】
【課題を解決するための手段】
上記の目的を達成するため、出力制御装置において、外部装置からプリントデータとサイズ情報を受信する受信手段と、前記受信手段によって受信されたプリントデータを格納する記憶手段と、前記受信手段によって受信されたプリントデータのサイズを計算する計算手段と、前記計算手段によって計算された前記プリントデータのサイズと前記受信手段によって受信した前記サイズ情報とを比較する比較手段と、前記記憶手段に格納されているデータを消去する消去手段と、前記受信手段からのプリントデータの受信が終わったときに、前記比較手段によって比較した前記プリントデータのサイズと前記サイズ情報とが異なっている場合には、前記記憶手段に格納されているデータを前記消去手段によって消去するよう制御する制御手段とを有することにより解決する。
また、前記記憶手段に格納されているデータをイメージデータに展開する展開手段と、前記展開手段で展開されたイメージデータを印刷出力する出力手段とを有することにより解決する。
さらに、情報処理装置と印刷装置とを含むプリントシステムにおいて、前記情報処理装置は、前記印刷装置で印刷すべきプリントデータのサイズ情報をプリントデータとともに送信し、外部装置にプリントデータを送信中に、印刷中断要求を受けた場合に、プリントデータの送信を中止するよう制御する制御手段とを有し、前記印刷装置は、印刷すべきプリントデータとサイズ情報を受信する受信手段と、前記受信手段によって受信されたプリントデータを格納する記憶手段と、前記受信手段によって受信されたプリントデータのサイズを計算する計算手段と、前記計算手段によって計算された前記プリントデータのサイズと前記受信手段によって受信した前記サイズ情報とを比較する比較手段と、前記記憶手段に格納されているデータを消去する消去手段と、前記受信手段からのプリントデータの受信が終わったときに、前記比較手段によって比較した前記プリントデータのサイズと前記サイズ情報とが異なっている場合には、前記記憶手段に格納されているデータを前記消去手段によって消去するよう制御する消去制御手段とを有することにより解決する。
また、前記プリントシステムには、更に、前記情報処理装置のプリントデータのジョブの印刷順序管理を行っているサーバが接続されており、前記サーバが、前記情報処理装置にプリントデータの送信許可を与えてから、前記情報処理装置は、前記印刷装置にプリントデータを送信することにより解決する。


【手続補正４】
【補正対象書類名】明細書
【補正対象項目名】０００７
【補正方法】変更
【補正の内容】
【０００７】
さらに、情報処理装置と接続される印刷装置における印刷中断方法において、前記情報処理装置から前記印刷装置にプリントデータとサイズ情報を受信させる受信工程と、前記受信工程で受信されたプリントデータを記憶手段に格納させる記憶工程と、前記受信工程で受信されたプリントデータのサイズを計算させる計算工程と、前記計算工程で計算された前記プリントデータのサイズと前記受信工程で受信した前記サイズ情報とを比較させる比較工程と、前記記憶手段に格納されているデータを消去する消去工程と、前記受信工程におけるプリントデータの受信が終わったときに、前記比較工程で比較した前記プリントデータのサイズと前記サイズ情報とが異なっている場合には、前記記憶手段に格納されているデータを前記消去スッテプで消去するよう制御させる消去制御工程とを含むことにより解決する。
また、前記記憶手段に格納されているデータをイメージデータに展開させる展開工程と、前記展開工程で展開されたイメージデータを印刷出力させる出力工程とを更に含むことにより解決する。
さらに、情報処理装置と印刷装置とを含むプリントシステムにおける印刷中断方法において、前記情報処理装置から前記印刷装置で印刷すべきプリントデータのサイズ情報をプリントデータとともに送信し、印刷装置にプリントデータを送信中に、印刷中断要求を受けた場合に、プリントデータの送信を中止するよう制御する制御工程と、前記印刷装置にプリントデータとサイズ情報を受信させる受信工程と、前記受信工程で受信されたプリントデータを記憶手段に格納させる記憶工程と、前記受信工程で受信されたプリントデータのサイズを計算させる計算工程と、前記計算工程で計算された前記プリントデータのサイズと前記受信工程で受信した前記サイズ情報とを比較させる比較工程と、前記記憶手段に格納されているデータを消去する消去工程と、前記受信工程におけるプリントデータの受信が終わったときに、前記比較工程で比較した前記プリントデータのサイズと前記サイズ情報とが異なっている場合には、前記記憶手段に格納されているデータを前記消去スッテプで消去するよう制御させる消去制御工程とを含むことにより解決する。
また、前記プリントシステムに含まれるサーバに対して、前記情報処理装置のデータのジョブの印刷順序を管理させる順序管理工程と、前記情報処理装置にデータの送信許可を与えさせる許可工程とを含み、前記許可工程で送信許可が与えられてから、前記情報処理装置から前記印刷装置にプリントデータを送信させることにより解決する。


【手続補正５】
【補正対象書類名】明細書
【補正対象項目名】０００８
【補正方法】変更
【補正の内容】
【０００８】
さらに、外部装置からプリントデータを受信する受信手段と、前記受信手段により受信したプリントデータを格納する記憶手段と、前記記憶手段に格納されているプリントデータを消去する消去手段と、前記受信手段により最後にプリントデータを受信してから経過した時間情報を導出する導出手段と、外部装置からプリントデータの送信が終了していない間に、前記導出手段により導出された時間情報に基づく時間が所定時間を越えた場合に、前記消去手段により前記記憶手段に格納されているプリントデータを削除するよう制御する制御手段とを有することにより解決する。
また、前記記憶手段に格納されているプリントデータをイメージデータに展開領域に展開する展開手段と、前記展開手段により前記展開領域に展開されたイメージデータを印刷出力する出力手段とを有することにより解決する。
また、前記消去手段は、前記記憶手段に格納されているプリントデータを消去し、更に別の記憶手段に格納されているプリントデータを消去するためのコマンドを送信することにより解決する。
また、前記制御手段は、外部装置からプリントデータの送信が終了していない間に、前記導出手段により導出された時間情報に基づく時間が所定時間よりも大きくなった場合に、更に外部装置とのコネクションを切断するよう制御することにより解決する。


【手続補正６】
【補正対象書類名】明細書
【補正対象項目名】０００９
【補正方法】変更
【補正の内容】
【０００９】
さらに、印刷装置における印刷中断方法であって、外部装置からプリントデータを受信させる受信工程と、前記受信工程で受信したプリントデータを記憶手段に格納させる格納工程と、前記記憶手段に格納されているプリントデータを消去させる消去工程と、前記受信工程で最後にプリントデータを受信してから経過した時間情報を導出させる導出工程と、外部装置からプリントデータの送信が終了していない間に、前記導出工程で導出された時間情報に基づく時間が所定時間よりも大きくなった場合に、前記消去工程で前記記憶手段に格納されているプリントデータを削除するよう制御させる制御工程とを含むことにより解決する。
また、前記消去工程は、前記記憶手段に格納されているプリントデータを消去し、更に別の記憶手段に格納されているプリントデータを消去するためのコマンドを送信させることにより解決する。
また、前記制御工程は、外部装置からプリントデータの送信が終了していない間に、前記導出手段により導出された時間情報に基づく時間が所定時間よりも大きくなった場合に、更に外部装置とのコネクションを切断するよう制御させることにより解決する。


【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００７６
【補正方法】変更
【補正の内容】
【００７６】
以上説明したように、第１実施例に示唆されている発明によれば、ネットワークプリンタが印刷データの送信中止をコマンドによって知ることができ、ページの途中までしか送信されなかった印刷データを、ネットワークプリンタのバッファから消去することができる。その結果、ネットワークプリンタは、コンピュータからの印刷データの送信が中止された後、別の新しい印刷データ送信されても、正常に印刷処理を続けることができる。


【手続補正１２】
【補正対象書類名】明細書
【補正対象項目名】００７９
【補正方法】変更
【補正の内容】
【００７９】
第４実施例に示唆されている発明によれば、クライアントコンピュータからネットワークプリンタに長時間印刷データが送信されてこない場合には、ネットワークプリンタ側から強制的にコネクションを切断し、受信データを削除するので、コネクションが接続されたままで印刷データの送信異常が生じた場合でも、復旧が可能になり、次に送られてくる印刷データも正常に印刷可能になる。
【発明の効果】
以上説明したように、本願の第１の発明によれば、出力制御装置において、外部装置から受信したプリントデータのサイズを計算し、外部装置から受信したサイズ情報とが異なっている場合に、格納されているデータを消去手段によって消去するよう制御するので、送信された印字データが正常なものか判断することができ、ページの途中までしか送信されなかった印刷データをバッファから消去することができる。その結果、ある装置からの印刷データの送信が中止された後、別の新しい印刷データ送信されても、正常に印刷処理を続けることができる。
また、本願の第２の発明によれば、出力制御装置において、外部装置から最後にプリントデータを受信してから経過した時間情報を導出し、外部装置からプリントデータの送信が終了していない間に、導出された時間情報に基づく時間が所定時間を越えた場合に、消去手段により前記記憶手段に格納されているプリントデータを削除するよう制御するので、外部装置から長時間印刷データが送信されてこない場合にも、自動的に受信データを削除することができ、ページの途中までしか送信されなかった印刷データをバッファから消去することができる。その結果、印刷データの送信異常が生じた場合でも、復旧が可能になり、次に送られてくる印刷データも正常に印刷可能になる。